【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
磁気又は着磁可能なフレークを含む少なくとも１つのインク又はニスビヒクルを、基材に塗布するように適合された印刷グループ（２）、及び前記基材の経路に沿って前記印刷グループ（２）の下流に位置する少なくとも１つの磁界配向ユニット（１０）を具える印刷機（１００）であって、
前記磁界配向ユニット（１０）は、光学的可変効果を前記インク又はニスビヒクルに誘導すべく、前記基材に塗布される前記インク又はニスビヒクルに含まれる前記磁気又は着磁可能なフレークを配向するように適合された少なくとも１つの磁界誘導装置（１２）を含み、
前記印刷機（１００）は、更に、前記基材の経路に沿って位置し、前記磁界配向ユニット（１０）と協働する乾燥／硬化ユニット（１５）を具え、前記乾燥／硬化ユニット（１５）は、前記磁気又は着磁可能なフレークの配向に続いて前記基材に塗布される前記インク又はニスビヒクルを乾燥又は硬化するよう適合され、
前記磁界配向ユニット（１０）は、回転シリンダアセンブリ（１１）を具え、前記回転シリンダアセンブリ（１１）は、前記少なくとも１つの磁界誘導装置（１２）を前記回転シリンダアセンブリ（１１）の外周上に担持し、
前記基材は、画定された角度セクタ（ＡＳ）の上方で前記回転シリンダアセンブリ（１１）と接触、又は接近し、
前記乾燥／硬化ユニット（１５）の作業位置（ＷＰ）において、前記乾燥／硬化ユニット（１５）は、前記磁界配向ユニット（１０）と協働し、前記磁界配向ユニット（１０）に隣接して前記基材の経路に近接して位置し、前記乾燥／硬化ユニット（１５）は、前記角度セクタ（ＡＳ）の下流端で前記回転シリンダアセンブリ（１１）の前記外周に近接して位置し、
前記乾燥／硬化ユニット（１５）は、移動可能な支持構造（１６）に取り付けられ、前記移動可能な支持構造（１６）は、前記乾燥／硬化ユニット（１５）を、前記作業位置（ＷＰ）と退避位置（ＲＰ）との間で移動するように適合され、前記退避位置（ＲＰ）において、前記乾燥／硬化ユニット（１５）は、前記磁界配向ユニット（１０）から、かつ前記基材の経路から退避し、
前記回転シリンダアセンブリ（１１）は、前記印刷機（１００）から取り外し可能であって、前記移動可能な支持構造（１６）は、前記回転シリンダアセンブリ（１１）を前記印刷機（１００）から取り外すべく経路を空けるように、前記乾燥／硬化ユニット（１５）を前記退避位置（ＲＰ）に移動するように設計されることを特徴とする、印刷機。
【請求項２】
請求項１に記載の印刷機（１００）において、前記基材を前記印刷グループ（２）から前記磁界配向ユニット（１０）に運搬する第１のコンベヤシステム（２１）と、前記基材を前記磁界配向ユニット（１０）から前方に運搬する第２のコンベヤシステム（２２）とを更に具えることを特徴とする、印刷機。
【請求項３】
請求項２に記載の印刷機（１００）において、前記印刷機（１００）は枚葉印刷機であって、前記基材は、前記第１のコンベヤシステム（２１）から前記磁界配向ユニット（１０）に、かつ前記磁界配向ユニット（１０）から前記第２のコンベヤシステム（２２）に移送され、前記磁界配向ユニット（１０）の前記回転シリンダアセンブリ（１１）は、前記画定された角度セクタ（ＡＳ）上方の前記基材を搬送するシート移送シリンダの機能を果たし、
前記第１のコンベヤシステム（２１）及び前記第２のコンベヤシステム（２２）は、好ましくは、複数の離間したグリッパバーを駆動する無端チェーンを有するチェーンコンベヤシステムであって、前記グリッパバーは、前記基材の先端を保持するように設計されることを特徴とする、印刷機。
【請求項４】
請求項１乃至３のいずれか一項に記載の印刷機（１００）において、前記回転シリンダアセンブリ（１１）は、持ち上げによって前記印刷機（１００）から取り外し可能であることを特徴とする、印刷機。
【請求項５】
請求項１乃至４のいずれか一項に記載の印刷機（１００）において、前記回転シリンダアセンブリ（１１）は、前記印刷機（１００）のフロア部（３０）の下に位置し、
前記インク又はニスビヒクルは、前記基材の上側に塗布され、
前記回転シリンダアセンブリ（１１）は、前記フロア部（３０）の下方で、前記基材の経路の下に位置し、
前記乾燥／硬化ユニット（１５）は、前記基材の経路の上に位置し、
前記移動可能な支持構造（１６）は、前記乾燥／硬化ユニット（１５）を、前記フロア部（３０）の下の前記作業位置（ＷＰ）から前記フロア部（３０）の上の前記退避位置（ＲＰ）に移動するように設計されることを特徴とする、印刷機。
【請求項６】
請求項５に記載の印刷機（１００）において、前記乾燥／硬化ユニット（１５）が前記作業位置（ＷＰ）にあるとき、前記移動可能な支持構造（１６）及び前記乾燥／硬化ユニット（１５）を覆い、前記フロア部（３０）の一部分を形成する取り外し可能なカバーパネル（３５）を更に具えることを特徴とする、印刷機。
【請求項７】
請求項６に記載の印刷機（１００）において、前記取り外し可能なカバーパネル（３５）は、前記フロア部（３０）の一部分（３１）に支持され、かつ前記フロア部（３０）に対して閉口位置と開口位置との間で移動可能であるように設計され、前記閉口位置において、前記乾燥／硬化ユニット（１５）が前記作業位置（ＷＰ）にあるとき、前記取り外し可能なカバーパネル（３５）は、前記移動可能な支持構造（１６）及び前記乾燥／硬化ユニット（１５）を覆い、前記フロア部（３０）の前記一部分を形成し、前記開口位置において、前記取り外し可能なカバーパネル（３５）は、前記フロア部（３０）に開口部（３０ａ）を作成すべく、前記フロア部（３０）に対して移動され、前記移動可能な支持構造（１６）は、前記開口部（３０ａ）を通じて移動が可能となることを特徴とする、印刷機。
【請求項８】
請求項６又は７に記載の前記印刷機（１００）において、前記取り外し可能なカバーパネル（３５）は、前記移動可能な支持構造（１６）とは別に移動可能であることを特徴とする、印刷機。
【請求項９】
請求項１乃至８のいずれか一項に記載の印刷機（１００）において、前記移動可能な支持構造（１６）は、回動可能なアームシステムとして設計されることを特徴とする、印刷機。
【請求項１０】
請求項１乃至９のいずれか一項に記載の印刷機（１００）において、前記乾燥／硬化ユニット（１５）は、ＵＶ硬化ユニット、好ましくは、ＵＶ−ＬＥＤ硬化ユニットであることを特徴とする、印刷機。
【請求項１１】
請求項１乃至１０のいずれか一項に記載の印刷機（１００）において、前記乾燥／硬化ユニット（１５）は、前記移動可能な支持構造（１６）によって支持され、かつ前記基材の経路に対して横方向に配置される複数の乾燥／硬化ヘッド（１５０）を具えることを特徴とする、印刷機。
【請求項１２】
請求項１１に記載の印刷機（１００）において、前記乾燥／硬化ヘッド（１５０）は、ガイドレール（１６０）に支持され、前記ガイドレール（１６０）は、前記移動可能な支持構造（１６）に固定され、かつ前記移動可能な支持構造（１６）と共に移動可能であり、
前記ガイドレール（１６０）に沿った各乾燥／硬化ヘッド（１５０）の位置は調節可能であることを特徴とする、印刷機。
【請求項１３】
請求項１乃至１２のいずれか一項に記載の印刷機（１００）において、前記支持構造（１６）は更に、前記乾燥／硬化ユニット（１５）が結合される冷却ポート（１７）及び電力供給ポート（１８）を支持することを特徴とする、印刷機。
【請求項１４】
請求項１乃至１３のいずれか一項に記載の印刷機（１００）において、前記磁界配向ユニット（１０）を通過した前記基材の搬送のライブ画像を取り込むカメラ（５０）を更に具えることを特徴とする、印刷機。
【請求項１５】
請求項１乃至１４のいずれか一項に記載の印刷機（１００）において、前記印刷機（１００）は、シルクスクリーン印刷機であることを特徴とする、印刷機。